(57)【要約】【課題】本発明は、複数の通信機能を備えるとともに、ユーザが通信を行う際、複数の通信種別の履歴を１つの履歴によって検索して、検索結果に基づいて通信相手を設定できるようにすることで、ユーザにとって使い勝手が良く、ユーザが効率的に通信操作を行うことができる通信機器を提供する。【解決手段】過去に行った通信について、通信相手を識別する識別情報と、時間情報とを含む履歴情報を記憶する記憶手段を備え、表示された識別情報が選択された場合、選択された識別情報に対応する履歴情報を、前記記憶手段から抽出して表示することを特徴とする。【選択図】図７
2012182851.tif 000002
【特許請求の範囲】
【請求項１】
過去に行った通信について、通信相手を識別する識別情報と、時間情報とを含む履歴情報を記憶する記憶手段を備え、
表示された識別情報が選択された場合、選択された識別情報に対応する履歴情報を、前記記憶手段から抽出して表示することを特徴とする通信機器。
【請求項２】
前記履歴情報は、通信機能種別を示す種別情報を含むことを特徴とする請求項１に記載の通信機器。
【発明の詳細な説明】
【技術分野】
【０００１】
本発明は、複数の通信機能を備え、通信の際、各々の通信機能に対して、共通のインタフェースで通信相手を選択できる機能を備えた通信機器に関する。
【背景技術】
【０００２】
従来、携帯電話機等の通信機器が一般家庭に普及して、ユーザ同士が頻繁に電話を掛け合うようになってきた。そのため、一般的な通信機器はリダイヤル機能を備えている。リダイヤル機能とは、最近発呼した通信相手を所定件数だけ記憶しておき、ユーザに対してそれらの通信相手を並べて表示することで、ユーザが電話をかける際に、ユーザが過去に発呼したことのある相手（即ち良く使う相手）を簡単に電話相手に選択できる機能である。
さらに、特定の相手を、この後それ以外の相手により多く発呼してもリダイヤルメモリから消えないように設定することにより、利便性を向上させた通信端末装置が提案されている（特許文献１参照）。これは、通話履歴に係わる相手先情報をメモリ領域に記憶するとともに、この通話履歴に係わる相手先情報のうちの使用頻度の高い相手先情報を消去不可に設定し、このメモリ領域に記憶した相手先情報を表示部に表示して発呼するものである。
【先行技術文献】
【特許文献】
【０００３】
【特許文献１】ＷＯ９９／２２５０５号公報
【発明の概要】
【発明が解決しようとする課題】
【０００４】
従来の通信機器において、ユーザが過去に電話した相手に再び電話したい場合には、キー操作でリダイヤルを選んでリダイヤルメモリにある相手を選択していたが、ユーザがメールしたい場合には、別のキー操作（たとえばメニュー選択等）によって最新の受信メールあるいは送信メールを検索して、そのメールに対する返信あるいは編集を行う必要があった。これはユーザの操作を複雑にし、特に高齢者等の電子機器の細かい操作に慣れていない者にとっては非常に扱いにくかった。
【０００５】
本発明は、上記課題を鑑みてなされてものであり、複数の通信機能を備えるとともに、ユーザが通信を行う際、複数の通信種別の履歴を１つの履歴によって検索して、検索結果に基づいて通信相手を設定できるようにすることで、ユーザにとって使い勝手が良く、ユーザが効率的に通信操作を行うことができる通信機器を提供することを目的とする。
【課題を解決するための手段】
【０００６】
上記課題を解決するために、本発明に係る通信機器は、過去に行った通信について、通信相手を識別する識別情報と、時間情報とを含む履歴情報を記憶する記憶手段を備え、表示された識別情報が選択された場合、選択された識別情報に対応する履歴情報を、前記記憶手段から抽出して表示することを特徴とする。
【発明の効果】
【０００７】
本発明に係る通信機器によると、複数の通信機能を備えるとともに、ユーザが通信を行う際、複数の通信種別の履歴を１つの履歴によって検索して、検索結果に基づいて通信相手を設定できるようにすることで、ユーザにとって使い勝手が良く、ユーザが効率的に通信操作を行うことが可能となる。
【図面の簡単な説明】
【０００８】
【図１】（Ａ）は、本発明に係る通信機器（携帯電話機）の開いた状態を示す正面図、（Ｂ）は、本発明に係る通信機器（携帯電話機）の開いた状態を示す側面図。
【図２】（Ａ）は、本発明に係る通信機器（携帯電話機）の閉じた状態を示す正面図、（Ｂ）は、本発明に係る通信機器（携帯電話機）の閉じた状態を示す側面図。
【図３】本発明に係る通信機器（携帯電話機）の機能ブロック図。
【図４】（Ａ）は、発呼履歴情報の一例を示すデータ構成図、（Ｂ）は、着呼履歴情報の一例を示すデータ構成図。
【図５】（Ａ）は、メール送信履歴情報の一例を示すデータ構成図、（Ｂ）は、メール受信履歴情報の一例を示すデータ構成図。
【図６】リコンタクト情報の一例を示すデータ構成図。
【図７】本発明に係る通信機器（携帯電話機）が発着信履歴管理処理を行う際の手順を示すフローチャート。
【図８】（Ａ）乃至（Ｃ）は、本発明に係る通信機器（携帯電話機）が発着信履歴管理処理を行う際の表示画面の一例を示す画面図。
【図９】本発明に係る通信機器（携帯電話機）が発着信履歴管理処理を行った際のリコンタクト情報の一例を示すデータ構成図。
【図１０】本発明に係る通信機器（携帯電話機）が発着信履歴管理処理を行った際の発呼履歴情報の一例を示すデータ構成図。
【図１１】（Ａ）乃至（Ｃ）は、本発明に係る通信機器（携帯電話機）がリコンタクト情報を提示する際の表示画面の一例を示す画面図。
【図１２】（Ａ）乃至（Ｃ）は、本発明に係る通信機器（携帯電話機）がリコンタクト情報を提示する際の表示画面の一例を示す画面図。
【発明を実施するための形態】
【０００９】
本発明に係る通信機器の実施形態について、添付図面を参照しながら説明する。本発明に係る通信機器として、複数の筐体が開閉自在に結合されてなるクラムシェル型の携帯電話機１を例にあげて説明する。図１（Ａ）は、携帯電話機１の開いた状態を示す正面図、図１（Ｂ）は、携帯電話機１の開いた状態を示す側面図である。また、図２（Ａ）は、携帯電話機１の閉じた状態を示す背面図、図２（Ｂ）は、携帯電話機１の閉じた状態を示す側面図である。
【００１０】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等を含んだ表示情報を表示するためのディスプレイ１３、通話相手から受信した音声を出力するためのスピーカ１４が設けられている。これらのディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１２】
下筐体１１の内面（上筐体１０に対面する側の面）には、例えば電源のＯＮ／ＯＦＦを切り替えるための電源キーや発呼処理を行うための発呼キー、数字や文字を入力するためのテンキー、メール機能を起動するためのメールキーやＷｅｂ機能を起動するためのＷｅｂキー等のショートカットキー等からなる操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１３】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１４】
主制御部２０は、ＣＰＵ（Ｃｅｎｔｒａｌ Ｐｒｏｃｅｓｓｉｎｇ Ｕｎｉｔ）を具備し、携帯電話機１の総括的な制御を行うとともに、後述する発着信履歴管理処理、その他の様々な演算処理や制御処理等を行う。電源回路部２１は、例えば電源キーに対する入力インタフェースを備え、ユーザにより電源キーが押されたことを検知すると、その旨を示す信号を生成して主制御部２０に伝送する。また、電源回路部２１は、電源供給源（バッテリ等）を備え、電源キーを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１５】
操作入力制御部２２は操作キー１５に対する入力インタフェースを備え、操作キー１５のいずれかが押されたことを検知すると、押された操作キー１５を示す信号を生成して主制御部２０に伝送する。表示制御部２３はディスプレイ１３に対する表示インタフェースを備え、主制御部２０の制御に基づいて、文書データや画像データ等をディスプレイ１３に表示する。
【００１６】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１７】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１６を介して入力されたデータや記憶部２６に記憶されたデータを取得すると、これらのデータに対してスペクトラム拡散処理を行い、基地局に対してアンテナ２５ａを介して送信する。
【００１８】
記憶部２６は、主制御部２０が行う処理について、処理プログラムや処理に必要なデータ等を格納するＲＯＭ（Ｒｅａｄ Ｏｎｌｙ Ｍｅｍｏｒｙ）やハードディスク、不揮発性メモリ、データベース、主制御部２０が処理を行う際に使用されるデータを一時的に記憶するＲＡＭ（Ｒａｎｄｏｍ Ａｃｃｅｓｓ Ｍｅｍｏｒｙ）等から構成される。記憶部２６は、ユーザが音声通話やメール送受信を簡単に行えるように、通信相手が羅列されたアドレス帳を記憶している。また、主制御部２０が後述する発着信履歴管理処理を行う際の処理プログラムは、例えばＲＯＭに記憶されているものとする。
【００１９】
また記憶部２６は、携帯電話機１から発信された音声通話の発呼に関する履歴を示す発呼履歴情報３０、携帯電話機１が受信した音声通話の着呼に関する履歴を示す着呼履歴情報３１、携帯電話機１におけるメールの送信に関する履歴を示すメール送信履歴情報３２、携帯電話機１におけるメールの受信に関する履歴を示すメール受信情報３３、及び、電話の発着信やメールの送受信等の連絡に関する履歴を連絡先毎に示すリコンタクト情報３４を記憶している。
【００２０】
発呼履歴情報３０は、携帯電話機１での電話の発信に関する履歴を示す情報であり、発呼履歴情報３０として図４（Ａ）に示すように、発呼を行った日時の順位を示す順位情報３０ａと、発呼を行った日時を示す日時情報３０ｂと、発呼を行った連絡先の識別子を示す連絡先ＩＤ情報３０ｃと、発呼を行った連絡先の名称を示す連絡先情報３０ｄとがそれぞれ対応付けられた情報である。なお、順位情報３０ａは、最近発呼を行ったもの、すなわち現在日時に近いものから順に高順位（１位〜）で示されている。
【００２１】
例えば図４（Ａ）に示す発呼履歴情報３０によると、「１位」の順位情報３０ａに対して、「２００８年１月３１日１時１分１０秒」の日時情報３０ｂ、「１１」の連絡先ＩＤ情報３０ｃ、「Ａさん」の連絡先情報３０ｄが、「２位」の順位情報３０ａに対して、「２００８年１月２７日１時１分１０秒」の日時情報３０ｂ、「１２」の連絡先ＩＤ情報３０ｃ、「Ｂさん」の連絡先情報３０ｄがそれぞれ対応付けられている。
【００２２】
着呼履歴情報３１は、携帯電話機１での電話の着信に関する履歴を示す情報であり、着呼履歴情報３１として図４（Ｂ）に示すように、着呼を行った日時の順位を示す順位情報３１ａと、着呼を行った日時を示す日時情報３１ｂと、着呼を行った連絡先の識別子を示す連絡先ＩＤ情報３１ｃと、着呼を行った連絡先の名称を示す連絡先情報３１ｄとがそれぞれ対応付けられた情報である。なお、順位情報３１ａは、最近着呼を行ったもの、すなわち現在日時に近いものから順に高順位（１位〜）で示されている。
【００２３】
例えば図４（Ｂ）に示す着呼履歴情報３１によると、「１位」の順位情報３１ａに対して、「２００８年１月２８９日１時１分１０秒」の日時情報３１ｂ、「−−」の連絡先ＩＤ情報３１ｃ（アドレス帳に登録されていないため、連絡先ＩＤが付されていない）、「０９０−ｘｘｘｘ−ｘｘｘｘ」の連絡先情報３１ｄが、「２位」の順位情報３１ａに対して、「２００８年１月２５日１時１分１０秒」の日時情報３１ｂ、「１３」の連絡先ＩＤ情報３１ｃ、「Ｃさん」の連絡先情報３１ｄがそれぞれ対応付けられている。
【００２４】
メール送信履歴情報３２は、携帯電話機１でのメール送信に関する履歴を示す情報であり、メール送信履歴情報３２として図５（Ａ）に示すように、メール送信を行った日時の順位を示す順位情報３２ａと、メール送信を行った日時を示す日時情報３２ｂと、メール送信を行った連絡先の識別子を示す連絡先ＩＤ情報３２ｃと、メール送信を行った連絡先の名称を示す連絡先情報３２ｄとがそれぞれ対応付けられた情報である。なお、順位情報３２ａは、最近メール送信を行ったもの、すなわち現在日時に近いものから順に高順位（１位〜）で示されている。
【００２５】
例えば図５（Ａ）に示すメール送信履歴情報３２によると、「１位」の順位情報３２ａに対して、「２００８年１月３０日１時１分１０秒」の日時情報３２ｂ、「１５」の連絡先ＩＤ情報３２ｃ、「Ｅさん」の連絡先情報３２ｄが、「２位」の順位情報３２ａに対して、「２００８年１月２３日１時１分１０秒」の日時情報３２ｂ、「１６」の連絡先ＩＤ情報３２ｃ、「Ｆさん」の連絡先情報３２ｄがそれぞれ対応付けられている。また、「３位」の順位情報３２ａに対して、「２００８年１月２２日１時１分１０秒」の日時情報３２ｂ、「０３−××××−××××」の連絡先情報３２ｄがそれぞれ対応付けられている。なお、この３位の順位情報３２ａに対しては、アドレス帳に登録されていないため、連絡先ＩＤが付されておらず、連絡先情報３２ｄには送信先の電話番号又は送信先のメールアドレスが登録される。
【００２６】
メール受信履歴情報３３は、携帯電話機１でのメール受信に関する履歴を示す情報であり、メール受信履歴情報３３として図５（Ｂ）に示すように、メール受信を行った日時の順位を示す順位情報３３ａと、メール受信を行った日時を示す日時情報３３ｂと、メール受信を行った連絡先の識別子を示す連絡先ＩＤ情報３３ｃと、メール受信を行った連絡先の名称を示す連絡先情報３３ｄとがそれぞれ対応付けられた情報である。なお、順位情報３３ａは、最近メール受信を行ったもの、すなわち現在日時に近いものから順に高順位（１位〜）で示されている。
【００２７】
例えば図５（Ｂ）に示すメール受信履歴情報３３によると、「１位」の順位情報３３ａに対して、「２００８年１月２８日１時１分１０秒」の日時情報３３ｂ、「１１」の連絡先ＩＤ情報３３ｃ、「Ａさん」の連絡先情報３３ｄが、「２位」の順位情報３３ａに対して、「２００８年１月２１日１時１分１０秒」の日時情報３３ｂ、「１２」の連絡先ＩＤ情報３３ｃ、「Ｂさん」の連絡先情報３３ｄがそれぞれ対応付けられている。また、「３位」の順位情報３３ａに対して、「２００８年１月２０日１時１分１０秒」の日時情報３３ｂ、「０９０−××××−××××」の連絡先情報３３ｄがそれぞれ対応付けられている。なお、この３位の順位情報３３ａに対しては、アドレス帳に登録されていないため、連絡先ＩＤが付されておらず、連絡先情報３３ｄには送信元の電話番号又は送信元のメールアドレスが登録される。
【００２８】
リコンタクト情報３４は、連絡先毎に、携帯電話機１での電話の発着信、メールの送受信に関する履歴を示す情報であり、複数の履歴がまとまっているものが記憶されている。例えば、発呼履歴情報３０、着呼履歴情報３１、メール送信履歴情報３２及びメール受信履歴情報３３に記憶された情報が纏めて記憶されている。リコンタクト情報３４として図６に示すように、電話の発呼、電話の着呼、メール送信、メール受信のいずれかの連絡を行った日時の順位を示す順位情報３４ａと、連絡を行った日時を示す日時情報３４ｂと、連絡を行った連絡先の識別子を示す連絡先ＩＤ情報３４ｃと、連絡を行った連絡先の名称を示す連絡先情報３４ｄとがそれぞれ対応付けられた情報である。なお、順位情報３４ａは、最近連絡を行ったもの、すなわち現在日時に近いものから順に高順位（１位〜）で示されている。
【００２９】
例えば図６に示すリコンタクト情報３４によると、「１位」の順位情報３４ａに対して、「発呼」の種類情報３４ｂ、「２００８年１月３１日１時１分１０秒」の日時情報３４ｃ、「１１」の連絡先ＩＤ情報３４ｄ、「Ａさん」の連絡先情報３４ｅが、「２位」の順位情報３４ａに対して、「メール送信」の種類情報３４ｂ、「２００８年１月３０日１時１分１０秒」の日時情報３４ｃ、「１５」の連絡先ＩＤ情報３４ｄ、「Ｅさん」の連絡先情報３４ｅがそれぞれ対応付けられている。
【００３０】
このようにリコンタクト情報３４は、複数の通信機能（例えば音声通話機能、メール機能等）を備えた携帯電話機１において通信を行う際、各々の連絡先に対して、複数の通信処理（電話の発呼、電話の着呼、メール送信、メール受信）の履歴のうち、最も最近行われた履歴のみを記憶している。ユーザは、携帯電話機１を用いて通信を行う際に、その連絡先がいずれかの通信機能で頻繁に連絡をとる相手であった場合には、このリコンタクト情報３４の中から連絡先を選択することで、通話であってもメールであっても、即座に連絡先を入力することができる。
【００３１】
携帯電話機１は、ユーザが携帯電話機１を用いて過去に連絡をとったことのある連絡先に対して連絡をとろうとしたときに、ユーザの指示に従い、これらの発呼履歴情報３０、着呼履歴情報３１、メール送信履歴情報３２、及びメール受信履歴情報３３、またはリコンタクト情報３４に基づいて、最近連絡をとった連絡先をユーザに対して提示して、連絡先の選択を促す発着信履歴管理処理を行う。
【００３２】
ユーザが携帯電話機１を用いて所定の相手に電話の発呼やメール送信等の連絡をとろうとした際に、携帯電話機１がこの発着信履歴管理処理を行う際の手順について、図７に示すフローチャートに基づいて説明する。以下、例えば「ステップＳ１０１」を「Ｓ１０１」のように、「ステップ」の語句を省略して説明する。
【００３３】
一般に、ユーザは、携帯電話機１を用いて電話の発呼やメール送信を行うときに、携帯電話機１に対して、過去に連絡をとったことのある連絡先、あるいはアドレス帳に登録されている連絡先を提示するように指示を出す。よって主制御部２０は、ユーザにより発呼やメール送信が指示されたか否かを判断する（Ｓ１０１）。この際、主制御部２０は、例えば所定の操作キー１５が押下されたことに基づいて、発呼やメール送信が指示されたものと判断する。発呼やメール送信が指示されていない場合（Ｓ１０１のＮｏ）は、主制御部２０はそのまま待機する。
【００３４】
発呼やメール送信が指示された場合（Ｓ１０１のＹｅｓ）は、主制御部２０は、この指示が、リコンタクト情報３４の要求の指示であるか否かを判断する（Ｓ１０３）。ユーザは、頻繁に連絡する相手に対して連絡をとろうとする際に、リコンタクト情報３４の提示を要求するからである。この際、主制御部２０は、予め定められた所定の操作キー１５が押下されたことに基づいて、リコンタクト情報３４の要求の指示であるものと判断する。
【００３５】
リコンタクト情報３４の要求が指示された場合（Ｓ１０３のＹｅｓ）は、主制御部２０は、記憶部２６からリコンタクト情報３４を取得する（Ｓ１０５）。そして主制御部２０は、ステップＳ１０５にて取得したリコンタクト情報３４を、ディスプレイ１３に表示する等により、ユーザに対して提示する（Ｓ１０７）。主制御部２０は、例えば図８（Ａ）に示すように、ディスプレイ１３の表示画面４０に、リコンタクト情報３４に示されている連絡先を順位の高い順に表示する。そしてユーザは、この提示されたリコンタクト情報３４に基づいて、操作キー１５を用いて連絡先を選択する。
【００３６】
主制御部２０はリコンタクト情報３４を表示する際、図８（Ａ）に示すように、ディスプレイ１３の表示画面４０は、各々の通信履歴に対して、発着呼の日時、メール送受信の日時、インターネットアクセスの日時等を表示するための日時表示欄４０ａ、発呼、着呼、メール送信、メール受信等の通信種別を識別するための情報を表示するための通信種別表示欄４０ｂ、メール送受信の際のメールのタイトル、インターネットアクセス時のＷｅｂページのタイトル等を表示するためのタイトル表示欄４０ｃ、発呼時の発呼先、着呼時の発呼元、メール送信時の送信先、メール受信時の送信元等を表示するための通信相手表示欄４０ｄ、電話、メール、インターネットアクセス等の通信方法を識別するための情報を表示するための通信方法表示欄４０ｅ、リコンタクト情報３４内に同一の通信相手が複数記述されているか否かを示す情報を表示するための重複表示欄４０ｆを備えている。通信方法表示欄４０ｅにおける表示の一例では、「Ｔ」は電話の発呼や着呼、「Ｍ」はメールの送受信、「ＩＮ」はインターネットアクセスを示す。また、重複表示欄４０ｆにおける表示の一例では、「○」は電話及びメールの双方の履歴がリコンタクト内に存在することを示す。
【００３７】
なお、リコンタクト情報３４に複数の通信相手が記載されている場合は、表示画面４０には最新の履歴のみが表示される。例えば、「２００８年１月３１日」にＡさんへの発呼がされ、「２００８年１月２８日」にＡさんからのメールが受信された場合、最新である発呼の履歴のみが表示画面４０に表示される。または、最新の履歴に限定されず、同一の通信相手に対する複数の通信履歴が表示画面４０に表示されるようにしても良い。
【００３８】
主制御部２０は、ステップＳ１０７にて提示したリコンタクト情報３４から、電話の発呼先やメール送信先等の連絡先が選択されたか否かを判断する（Ｓ１０９）。連絡先が選択されていない場合（Ｓ１０９のＮｏ）は、主制御部２０は連絡先が選択されるまで待機する。連絡先が選択された場合（Ｓ１０９のＹｅｓ）は、主制御部２０は、選択された連絡先に対して、電話の発呼処理やメールの送信処理を行う（Ｓ１１１）。
【００３９】
主制御部２０は、リコンタクト情報３４に基づいて発呼処理や送信処理を行った後、この発呼処理や送信処理に関する情報を、順位を１位にして記憶部２６に記憶する（Ｓ１１３）。このとき主制御部２０は、リコンタクト情報３４において、ステップＳ１１１における発呼処理または送信処理に関する情報の順位を１位にして記憶するとともに、発呼履歴情報３０やメール送信履歴情報３２においても、ステップＳ１１１における発呼処理または送信処理に関する情報を順位を１位にして記憶する。
【００４０】
例えばステップＳ１１１にて連絡先ＩＤ２０の「Ｘさん」に２００８年２月１日１時１分１０秒に電話の発呼処理を行った場合は、図９に示すように、リコンタクト情報３４において、「１位」の順位情報３４ａに対して、「発呼」の種類情報３４ｂ、「２００８年２月１日１時１分１０秒」の日時情報３４ｃ、「２０」の連絡先ＩＤ情報３４ｄ、及び「Ｘさん」の連絡先情報３４ｅがそれぞれ対応付けられる。そして、元々リコンタクト情報３４に記憶されていた情報は、それぞれ順位が１つ繰り下げられて記憶される。
【００４１】
また同様に、例えばステップＳ１１１にて連絡先ＩＤ２０の「Ｘさん」に２００８年２月１日１時１分１０秒に電話の発呼処理を行った場合は、図１０に示すように、発呼履歴情報３０において、「１位」の順位情報３０ａに対して、「２００８年２月１日１時１分１０秒」の日時情報３０ｂ、「２０」の連絡先ＩＤ情報３０ｃ、及び「Ｘさん」の連絡先情報３０ｄがそれぞれ対応付けられる。そして、元々発呼履歴情報３０に記憶されていた情報は、それぞれ順位が１つ繰り下げられて記憶される。
【００４２】
リコンタクト情報３４の要求が指示されていない場合（Ｓ１０３のＮｏ）は、主制御部２０は、履歴情報の要求が指示されたか否かを判断する（Ｓ１１５）。履歴情報の要求が指示された場合（Ｓ１１５のＹｅｓ）は、主制御部２０は、記憶部２６から履歴情報を取得する（Ｓ１１７）。このときの履歴情報は、例えば発呼履歴情報３０や着呼履歴情報３１、メール送信履歴情報３２、メール受信履歴情報３３等であり、ユーザにより操作キー１５を介して任意に選択されると良い。
【００４３】
主制御部２０は、ステップＳ１１７にて取得した履歴情報を、例えばディスプレイ１３に表示する等して、ユーザに対して提示する（Ｓ１１９）。発呼履歴情報３０を提示する場合には、例えば図８（Ｂ）に示すように、ディスプレイ１３の表示画面４０に、発呼履歴情報３０に示されている連絡先が順位の高い順に表示される。また、メール送信履歴情報３２を提示する場合には、例えば図８（Ｃ）に示すように、ディスプレイ１３の表示画面４０に、メール送信履歴情報３２に示されている連絡先が順位の高い順に表示される。ユーザは、この提示された履歴情報に基づいて、操作キー１５を用いて連絡先を選択する。
【００４４】
主制御部２０は、ステップＳ１１９にて提示した履歴情報から、連絡先が選択されたか否かを判断する（Ｓ１２１）。連絡先が選択されていない場合（Ｓ１２１のＮｏ）は、主制御部２０は連絡先が選択されるまで待機する。連絡先が選択された場合（Ｓ１２１のＹｅｓ）は、主制御部２０は、ステップＳ１２１にて選択された連絡先に対して、電話の発呼処理やメールの送信処理を行う（Ｓ１１１）。
【００４５】
主制御部２０は、履歴情報に基づいて発呼処理や送信処理を行った後、この発呼処理や送信処理に関する情報を、順位を１位にして記憶部２６に記憶する（Ｓ１１３）。このとき主制御部２０は、発呼履歴情報３０やメール送信履歴情報３２においても、この発呼処理または送信処理に関する情報を順位を１位にして記憶する。
【００４６】
例えばステップＳ１１１にて連絡先ＩＤ２０の「Ｘさん」に２００８年２月１日１時１分１０秒に電話の発呼処理を行った場合は、図９に示すように、リコンタクト情報３４において、「１位」の順位情報３４ａに対して、「発呼」の種類情報３４ｂ、「２００８年２月１日１時１分１０秒」の日時情報３４ｃ、「２０」の連絡先ＩＤ情報３４ｄ、及び「Ｘさん」の連絡先情報３４ｅがそれぞれ対応付けられる。そして、元々リコンタクト情報３４に記憶されていた情報は、それぞれ順位が１つ繰り下げられて記憶される。
【００４７】
また同様に、例えばステップＳ１１１にて連絡先ＩＤ２０の「Ｘさん」に２００８年２月１日１時１分１０ 秒に電話の発呼処理を行った場合は、図１０に示すように、発呼履歴情報３０において、「１位」の順位情報３０ａに対して、「２００８年２月１日１時１分１０秒」の日時情報３０ｂ、「２０」の連絡先ＩＤ情報３０ｃ、及び「Ｘさん」の連絡先情報３０ｄがそれぞれ対応付けられる。そして、元々発呼履歴情報３０に記憶されていた情報は、それぞれ順位が１つ繰り下げられて記憶される。
【００４８】
履歴情報の要求が指示されていない場合（Ｓ１１５のＮｏ）は、ユーザがアドレス帳から連絡先を選択したり、連絡先の電話番号やメールアドレスを直接入力したりすることにより、連絡先を入力する。よって、主制御部２０は、電話の発呼先やメール送信先が入力されたか否かを判断する（Ｓ１２３）。連絡先が入力されていない場合（Ｓ１２３のＮｏ）は、主制御部２０は連絡先が入力されるまで待機する。
【００４９】
連絡先が入力された場合（Ｓ１２３のＹｅｓ）は、主制御部２０は、ステップＳ１２３にて入力された連絡先に基づいて、電話の発呼処理やメールの送信処理を行う（Ｓ１１１）。
【００５０】
主制御部２０は、入力された情報に基づいて発呼処理や送信処理を行った後、この発呼処理や送信処理に関する情報を、順位を１位にして記憶部２６に記憶する（Ｓ１１３）。このとき主制御部２０は、発呼履歴情報３０やメール送信履歴情報３２においても、この発呼処理または送信処理に関する情報を順位を１位にして記憶する。
【００５１】
このように携帯電話機１は、ユーザが所定の通信相手に対して発呼やメール送信しようとした際、通話機能やメール機能等の複数の通信機能において過去に連絡をとった連絡先を総合的に検索する機能（リコンタクト機能）を起動したことに基づいて、最近連絡をとった連絡先をユーザに対して提示して、ユーザに連絡先の選択を促す。ユーザは、提示された連絡先のうちのいずれかを選択することで、電話であれ、メールであれ、より少ないキー操作やスクロールで連絡先を簡単に入力することができる。
【００５２】
なお、携帯電話機１は、例えば図１１（Ａ）に示すように、ディスプレイ１３の表示画面４０にリコンタクト情報３４を表示した状態で、ユーザにより操作キー１５を介して任意の連絡先が選択された場合、発呼履歴情報３０やメール送信履歴情報３２頭の履歴情報からＡさんに関する情報を取得して、図１１（Ｂ）に示すように、Ａさんに関する発呼や着呼、メール送信やメール受信等の連絡の履歴を時系列で新しい順に表示する。このとき、図１１（Ｃ）に示すように、電話の発呼や着呼とメールの送受信とを分けて表示するようにしても良い。
【００５３】
また、携帯電話機１において、記憶部２６がＷｅｂサイト等に対するインターネットを介した接続履歴を記憶していて、ユーザの指示に応じて、図１２（Ａ）に示すように、ディスプレイ１３の表示画面４０にインターネットの接続履歴が表示されるようにしても良い。あるいは図１２（Ｂ）に示すように、ディスプレイ１３の表示画面４０にリコンタクト情報３４を表示されるのと同時にこの接続履歴が表示されるようにしても良い。なお、図中の「ＩＮ」はインターネットへの接続を示す。これにより、ユーザは前回接続したＷｅｂサイトに即座にアクセスすることができる。
【００５４】
さらに、携帯電話機１においてリコンタクト情報３４を表示する際に、ユーザの指示に応じて、図１２（Ｃ）に示すように、リコンタクト情報３４に含まれる履歴のうちの発呼に関する履歴のみが表示されるようにしても良い。このときに表示される履歴は、発呼に関する履歴に限定されず、着呼に関する履歴、メール送信に関する履歴、メール受信に関する履歴でも良い。
【００５５】
その上、実施形態として、発呼や着呼やメール送受信等の履歴を時系列で提示する例に着いて説明したが、これに限定されず、連絡の頻度順、連絡先の優先度順等、任意の条件に基づいて提示順を決定しても良い。また、ユーザが自ら提示順を決定する条件を設定できるようにしても良い。また、携帯電話機１が発呼や着呼やメール送受信等の履歴を提示する際、連絡先の優先度に基づいて、文字の大きさや色等を設定するようにしても良い。
【００５６】
そして、ディスプレイ１３の表示画面４０におけるフォーマットや表示内容は、上述したものに限定されず、例えば、日付に加えて時刻を合わせて表示しても良い。また、リコンタクト機能のメニュー設定で、ユーザが、どの通信の組み合わせの表示（例えば、メールとインターネットのみにする等）を行うか、選択できるようにしても良い。あるいは、一つの画面上に複数の通信機能の履歴を表示する際、これらを混ぜて表示するのではなく、下スクロールで電話に関する履歴、上スクロールでメールとインターネットに関する履歴を表示する等、任意に変形して表示するようにしても良い。さらには、通信機能も音声通話機能とメール機能とに限定されるものではなく、ブルートゥースなどの近距離通信機能、ワイアレスランなどの通信機能も対象に含めることができる。
【００５７】
本発明に係る通信機器によると、複数の通信機能（通話機能、メール機能等）を備えるとともに、ユーザが通信を行う際、複数の通信種別の履歴を１つの履歴によって検索して、検索結果に基づいて通信相手を設定できるようにすることで、ユーザにとって使い勝手が良く、ユーザが効率的に通信操作を行うことが可能となる。
【００５８】
本発明の説明として、携帯電話機１について説明したが、これに限らず、ＰＨＳ（Ｐｅｒｓｏｎａｌ Ｈａｎｄｙｐｈｏｎｅ Ｓｙｓｔｅｍ）、ＰＤＡ（Ｐｅｒｓｏｎａｌ Ｄｉｇｉｔａｌ Ａｓｓｉｓｔａｎｔｓ）、携帯音楽プレイヤー、携帯ビデオカメラ、携帯ゲーム機等、複数の通信機能を備えている通信機器であれば、任意の通信機器であっても良い。
【符号の説明】
【００５９】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，３０…発呼履歴情報，３１…着呼履歴情報，３２…メール送信履歴情報，３３…メール受信履歴情報，３４…リコンタクト情報，４０…表示画面。
【図１】
2012182851.tif 000003
【図２】
2012182851.tif 000004
【図３】
2012182851.tif 000005
【図４】
2012182851.tif 000006
【図５】
2012182851.tif 000007
【図６】
2012182851.tif 000008
【図７】
2012182851.tif 000009
【図８】
2012182851.tif 000010
【図９】
2012182851.tif 000011
【図１０】
2012182851.tif 000012
【図１１】
2012182851.tif 000013
【図１２】
2012182851.tif 000014